(57)【要約】      （修正有）【課題】装飾表示の変更が簡単で、廉価に行なえる装飾表示具を提供する。【解決手段】内部への空気注入によって膨張される風船３と、膨張した風船に着脱自在に被覆され、且つ、表面に文字や図形等の装飾表示４が施された外カバー５とを具備する風船３は、塩化ビニール製のシートで中空円柱状に形成されていると共に、その側壁には、空気注入バルブ３１と、空気排出バルブ３２が設けられており、風船３を膨張させる時は、別途用意した空気注入器を空気注入バルブ３１に接続して空気を圧送する。一方、風船３を折り畳む時は、空気排出バルブ３２を適宜操作すると、風船３内の空気が大気に排出されて収縮し、折り畳むことができる。【選択図】図２
0003142795.tif 000002
【実用新案登録請求の範囲】
【請求項１】
内部への空気注入によって膨張される風船と、
膨張した風船に着脱自在に被覆され、且つ、表面に文字や図形等の装飾表示が施された外カバーと、を具備する装飾表示具。
【請求項２】
請求項１に記載の装飾表示具に於いて、
前記外カバーは、伸縮性のシートで構成されることで前記風船に密着状態に被覆される、装飾表示具。
【請求項３】
請求項１又は２に記載の装飾表示具に於いて、
前記風船は、円柱状に形成され、
前記外カバーは、前記風船に一端の開放部から被覆される袋状に形成されている、装飾表示具。
【請求項４】
請求項１から３の何れかに記載の装飾表示具に於いて、
前記外カバーには、固定ロープを挿通するためのロープ挿通具が固定されている、装飾表示具。
【請求項５】
内部への空気注入によって膨張された風船に着脱自在に被覆され、且つ、表面に文字や図形等の装飾表示が施された、外カバー。
【請求項６】
請求項５に記載の外カバーに於いて、
固定ロープを挿通するためのロープ挿通具が固定されている、外カバー。
【考案の詳細な説明】
【技術分野】
【０００１】
本考案は、広告宣伝やイベント内容等をデザイン的に表示する装飾表示具に関するもので、パチンコ店等の遊技施設や各種イベント会場での装飾表示に使用される。
【背景技術】
【０００２】
パチンコ店などの遊技施設内や出入り口には、来店者の遊戯意欲を惹起する為に、例えば、新台に入れ替えたことの告知や、顧客誘引を目的とした装飾を行なう為の装飾表示具が設置されていることが多い。
この種の従来の装飾表示具として、円柱状の風船の表面に文字や図柄等の装飾表示を直接印刷したものがある。風船としては、折り畳み可能にする為に、空気注入バルブや空気排出バルブが設けられ、又、転倒防止の為のウエイト用水を注入・排水できるように、給排水バルブが下部に配設されているものが知られている。
【０００３】
このものでは、表面に装飾表示を印刷した風船を、遊戯施設等の出入り口や遊戯施設内部の人目に付き易い場所へ設置することにより、装飾表示を来場者の視覚に訴えて注意喚起することができる。
【考案の開示】
【考案が解決しようとする課題】
【０００４】
しかしながら、上記従来のものでは、装飾表示の内容を変更する場合は、新たな装飾表示を印刷し直した装飾表示具たる風船全体を製作する必要があることから、装飾表示の変更が大掛かりなものとなり、コスト高を招来するという問題があった。
即ち、前述のように、折り畳み可能にする為の空気注入バルブや空気排出バルブ、更には、転倒防止の為のウエイト用水を注入・排水する為の給排水バルブを具備する風船を利用した装飾表示具では、前記各バルブを設ける分、コストが高くなる。又、人通りの多い施設の出入り口や通路に設置されることを考慮し、通行人やその持ち物との接触による破損防止の為、強靭な生地で風船を製作する必要があることから、装飾表示具が一層コスト高になる。従って、装飾表示の内容変更に伴って、装飾表示具全体を製作し直す場合は、大掛かりなものとなり、コスト高を招来するのである。
本考案は、かかる点に鑑みて成されたもので、装飾表示の変更が簡単で、廉価に行なえるようにすることを課題とする。
【課題を解決するための手段】
【０００５】
［請求項１に係る考案]
上記課題を解決するための請求項１の考案の解決手段は、
『内部への空気注入によって膨張される風船と、
膨張した風船に着脱自在に被覆され、且つ、表面に文字や図形等の装飾表示が施された外カバーと、を具備する』ことである。
このものでは、文字や図形等の装飾表示が施された外カバーを、風船に被覆して遊戯施設等の出入り口や通路等に設置して使用する。
装飾表示の内容を変更する場合は、新たな装飾表示を印刷等で施した外カバーを別途準備し、これを、風船に被覆し直すだけで良い。
従って、既述従来のように空気注入バルブ等を備えた高価な風船全体を製作し直す必要がなく、装飾表示の変更が簡単で、廉価に行なえる。
【０００６】
［請求項２に係る考案]
請求項１に係る考案に於いて、
『前記外カバーは、伸縮性のシートで構成されることで前記風船に密着状態に被覆される』ものでは、外カバーが風船に密着状態に被覆されるから、風船に被覆された外カバーに皺が形成されたり、これが位置ずれしたりする心配が少ない。
［請求項３に係る考案]
【０００７】
請求項１又は２に係る考案に於いて、
『前記風船は、円柱状に形成され、
前記外カバーは、前記風船に一端の開放部から被覆される袋状に形成されている』ものとすることができる。
このものでは、袋状の外カバーを風船に一端の開放部から被覆させて使用状態にする。
【０００８】
［請求項４に係る考案]
請求項１〜３に係る考案に於いて、
『前記外カバーには、固定ロープを挿通するためのロープ挿通具が固定されている』ものでは、ロープ挿通具に挿通した固定ロープを建築物や構築物の固定部に締結することで、装飾表示具を設置位置に安定させることができると共に、これの転倒防止を図ることができる。
【０００９】
［請求項５に係る考案]
『内部への空気注入によって膨張された風船に着脱自在に被覆され、且つ、表面に文字や図形等の装飾表示が施された外カバー』とすれば、請求項１の装飾表示具に適用される外カバーが提供できる。
［請求項６に係る考案]
請求項５に係る考案に於いて、
『固定ロープを挿通するためのロープ挿通具が固定されている』ものとすれば、請求項４の装飾用表示具に適用される外カバーが提供できる。
【考案の効果】
【００１０】
本考案は次の特有の効果を有する。
請求項１に係る考案によれば、装飾表示の内容を変更する場合は、新たな装飾表示を印刷等で施した外カバーを別途準備し、これを、風船に被覆し直すだけで良い。従って、既述従来のように高価な風船全体を製作し直す必要がなく、装飾表示の変更が簡単で、廉価に行なえる。
【００１１】
請求項２に係る考案によれば、外カバーが風船に密着状態に被覆されるから、風船に被覆された外カバーに皺が形成されたり、これが位置ずれしたりする心配が少ない。
請求項４に係る考案によれば、既述したように、装飾表示具を設置位置に安定させることができると共に、これの転倒防止を図ることができる。
請求項５係る考案によれば、請求項１の装飾用表示具に適用される外カバーが提供でき、請求項６係る考案によれば、請求項４の装飾用表示具に適用される外カバーが提供できる。
【考案を実施するための最良の形態】
【００１２】
以下に、本考案を実施するための最良の形態について添付図面を参照しながら説明する。
図１に示すように、本考案に係る装飾表示具(1)は、例えば、パチンコ店等の遊戯施設やイベント会場の出入り口(2)等に設置される。
図２に示すように、装飾表示具(1)は、内部への空気注入によって膨張される風船(3)と、膨張した風船(3)に着脱自在に被覆され且つ表面に文字や図形等の装飾表示(4)が施されたシートから成る外カバー(5)と、を具備している。
【００１３】
風船(3)は、塩化ビニール製のシートで中空円柱状に形成されていると共に、その側壁には、空気注入バルブ(31)と、空気排出バルブ(32)が設けられており、風船(3)を膨張させる時は、別途用意した空気注入器を空気注入バルブ(31)に接続して空気を圧送する。一方、風船(3)を折り畳む時は、空気排出バルブ(32)を適宜操作すると、風船(3)内の空気が大気に排出されて収縮し、折り畳むことができる。
又、風船(3)の側面下部には、建築物や構築物等に連結したロープを挿通して締結する為の固定リング(33)が設けられている。
【００１４】
図３に示すように、風船(3)の底壁には、ウエイト用水を注入・排水する為の水バルブ(34)が設けられており、底面の凹部(36)が蓋体(37)で開閉されるようになっている。そして、蓋体(37)を開放したときに凹部(36)に露出するバルブ本体(35)に水道ホース（図示せず）を接続して注水すると、風船(3)内の下部にウエイト用水を貯留させることができる。尚、バルブ本体(35)に水道ホースを接続することなく、該バルブ本体(35)を適宜操作すると、風船(3)の下部に貯留されたウエイト用水を排水することができるようになっている。
【００１５】
外カバー(5)は、伸縮性を有するシートを縫製して製作したものであり、筒状の胴部(51)の一端開放部の周縁にキャップ部(52)の周縁が逢着され、全体として、膨張状態にある風船(3)に被覆し得る大きさに形成されている。胴部(51)の表面には来店者や通行者の遊戯意欲や興味を喚起する文字や図形等の装飾表示(4)が、昇華転写によって施されている。尚、装飾表示(4)は、スクリーン印刷等の他の方法で形成してもよい。
【００１６】
外カバー(5)の上部には、固定ロープを挿通する為のバンド状のロープ挿通具(54)が固定されていると共に、該ロープ挿通具(54)は、帯状布を二つ折りにして端部の重ね合わせ部を外カバー(5)に逢着されている。
こものでは、図４に示される外カバー(5)の下端開放部(53)を、空気が注入された膨張状態にある風船(3)の頂部に外嵌させ、この状態で下方に引き下げると、外カバー(5)が風船(3)に被覆され（図２参照）、これを、図１のように、パチンコ店等の遊戯施設の出入り口(2)等に設置して使用する。
【００１７】
このものでは、装飾表示(4)の内容を変更する場合は、新たな装飾表示(4a)（図５参照）を施した外カバー装飾表示具(1)を準備し、これを、風船(3)に被覆し直すだけで良い。
従って、既述従来のように高価な風船(3)全体を製作し直す必要がなく、装飾表示の変更が簡単で、廉価に行なえる。又、外カバー(5)が伸縮性を有するシートで形成されているから、風船(3)に被覆された外カバー(5)に皺が形成されたり、これが位置ずれしたりする心配が少ない。
【００１８】
このものでは、外カバー(5)の上部に配設されたロープ挿通具(54)に図示しない固定ロープを挿通し、その一端を建築物や構築物の固定部に締結することができる。よって、本考案の装飾表示具(1)を設置位置に安定させることができると共に、これの転倒防止を図ることができる。
本考案の装飾表示具(1)は、パチンコ店等の遊戯施設以外に、博覧会や各種イベント会場に設置して使用できる。又、広告宣伝にも使用できる。
【図面の簡単な説明】
【００１９】
【図１】本考案に係る装飾表示具(1)の使用状態の説明図
【図２】外カバー(5)の一部を破断した状態を示す装飾表示具(1)の斜視図
【図３】風船(3)の断面図
【図４】外カバー(5)の一部省略の断面図
【図５】別な(4a)が形成されている装飾表示具(1)の一部切欠の斜視図
【符号の説明】
【００２０】
(1)・・・装飾
(3)・・・風船
(4)・・・装飾表示
(5)・・・外カバー
(54)・・・ロープ挿通具
【図１】
0003142795.tif 000003
【図２】
0003142795.tif 000004
【図３】
0003142795.tif 000005
【図４】
0003142795.tif 000006
【図５】
0003142795.tif 000007